(57)【要約】      （修正有）【課題】子機からの呼び出しを親機にて報知するにあたり、この親機の親機スピーカにて放音される呼出音を、濁りのないクリアな音質で確保する。【解決手段】子機マイク１１及び子機スピーカ１２は、来訪者が居住者との間で通話を成立させるにあたり、音声（送話音声、受話音声）信号を入出力するためのものである。また、子機マイクアンプ１３は、子機マイク１１に入力された来訪者の音声（送話音声）信号を増幅するためのものである。子機１からの呼び出しを報知するために親機２の親機スピーカ２４にて放音させる呼出音の音データを記憶部２２に記憶するにあたり、その音データのサンプリング周波数を呼出音の偶数倍に設定し、呼出音の周波数スペクトラムを基本周波数の奇数倍のみとする。【選択図】図１
2011135337.tif 000002
【特許請求の範囲】
【請求項１】
子機（１）から親機（２）を呼び出して通話を成立させるインターホン装置であって、
前記親機は、前記子機からの呼び出しを報知するための呼出音が放音される親機スピーカ（２４）と、前記親機スピーカから放音させる前記呼出音の音データを記憶するための記憶部（２２）とを備え、
前記記憶部には、前記親機スピーカから放音させる前記呼出音として、当該呼出音が有する周波数の偶数倍でサンプリングされた音データが記憶されることを特徴とするインターホン装置。
【請求項２】
前記記憶部には、前記親機スピーカから放音させる前記呼出音として、当該呼出音が有する異なる２つの周波数の偶数倍でサンプリングされた音データが記憶されることを特徴とする請求項１記載のインターホン装置。
【発明の詳細な説明】
【技術分野】
【０００１】
本発明は、子機から親機を呼び出して通話を成立させるインターホン装置に係り、特に、親機にて放音される呼出音の音質を向上させたインターホン装置に関する。
【背景技術】
【０００２】
従来から、子機からの呼び出しを親機にて報知するにあたっては、通常、親機の親機スピーカから呼出音を放音させている。
【０００３】
この呼出音の音データは、親機に予め記憶され、呼出音のパターンに対応して異なる周波数が割り当てられており、その呼出音のアナログ波形をデジタルデータに変換するにあたっては、サンプリング周波数が必要とされる。
【０００４】
そこで、呼出音や着信音としても利用可能なマイクからの入力音声についてサンプリングした音データを予め所定の記憶媒体に記憶させ、呼び出しがあったときに読み出して放音することができる携帯無線装置及びその着信音作成方法が開示されている（例えば、特許文献１を参照。）。
【先行技術文献】
【特許文献】
【０００５】
【特許文献１】特開平１１−８８２１１号公報
【発明の概要】
【発明が解決しようとする課題】
【０００６】
従来例において適用される呼出音（着信音）の音データの周波数としては、種々の態様が考えられる。しかしながら、サンプリング周波数が呼出音の基本周波数６５０Ｈｚの偶数倍となっていない場合、例えば、２４．６１５倍のように当該サンプリング周波数が１６ｋＨｚに設定されていると、図５（Ａ）の波形図に示すように、半周期毎のサンプルポイント数が（＋）、（−）においてそれぞれ、１２ポイント又は１３ポイントとなり、その周波数スペクトラムは、図５（Ｂ）の周波数スペクトラム図に示すように、基本周波数６５０Ｈｚの奇数倍（１、３、５、・・・倍）以外の周波数帯域でスペクトラムが発生し、濁った呼出音として放音される虞があった。
【０００７】
本発明は、この難点を解消するためになされたもので、サンプリング周波数を呼出音の偶数倍に設定し、親機の親機スピーカにて放音させる呼出音の周波数スペクトラムを基本周波数の奇数倍のみとすることにより、濁りのないクリアな音質の呼出音を確保することができるインターホン装置を提供することを目的としている。
【課題を解決するための手段】
【０００８】
前述の目的を達成するため、本発明の第１の態様であるインターホン装置は、子機から親機を呼び出して通話を成立させるインターホン装置であって、親機は、子機からの呼び出しを報知するための呼出音が放音される親機スピーカと、親機スピーカにて放音させる呼出音の音データを記憶するための記憶部とを備えている。記憶部には、親機スピーカにて放音させる呼出音が有する周波数の偶数倍でサンプリングされた音データが記憶されるものである。
【０００９】
また、本発明の第２の態様であるインターホンシステムは、本発明の第１の態様において、記憶部には、親機スピーカにて放音させる呼出音が有する異なる２つの周波数のそれぞれの偶数倍でサンプリングされた音データが記憶されるものである。
【発明の効果】
【００１０】
本発明のインターホン装置によれば、子機からの呼び出しを報知するために親機の親機スピーカから放音させる呼出音の音データを記憶部に記憶するにあたって、その音データのサンプリング周波数を呼出音の偶数倍に設定し、呼出音の周波数スペクトラムを基本周波数の奇数倍のみとすることにより、濁りのないクリアな音質の呼出音を確保することができる。
【図面の簡単な説明】
【００１１】
【図１】図１は、本発明の実施例によるインターホン装置の具体的な構成を示すブロック図である。
【図２】図２（Ａ）、（Ｂ）はそれぞれ、本発明の実施例によるインターホン装置において、第１の呼出音をサンプリングした場合の波形図及び周波数スペクトラム図である。
【図３】図３（Ａ）、（Ｂ）はそれぞれ、本発明の実施例によるインターホン装置において、第２の呼出音をサンプリングした場合の波形図及び周波数スペクトラム図である。
【図４】図４は、本発明の実施例によるインターホン装置において、第１、第２の各呼出音を連続して組み合わせた場合の波形図である。
【図５】図５（Ａ）、（Ｂ）はそれぞれ、従来例のインターホン装置において、呼出音をサンプリングした場合の波形図及び周波数スペクトラム図である。
【発明を実施するための最良の形態】
【００１２】
以下、本発明のインターホン装置を適用した最良の実施の形態例について、図面を参照して説明する。
【００１３】
図１は、本発明の実施例によるインターホン装置の具体的な構成を示すブロック図である。このインターホン装置は、住戸玄関等の住戸外に設置される子機１と、住戸内に設置され、伝送路Ｌを経由して接続される子機１からの呼び出しを報知し、この呼び出しに応答して通話を成立させるための親機２とが設けられている。
【００１４】
また、子機１には、子機操作部１０、子機マイク１１、子機スピーカ１２、子機マイクアンプ１３、子機スピーカ１４及び子機インターフェース（以下、同様なインターフェースについては、「Ｉ／Ｆ」という。）１５が備えられている。
【００１５】
この子機１において、子機操作部１０は、親機２の使用者である住戸内に在室中の居住者を呼び出すにあたり、住戸外に居る来訪者が所定の呼出操作を行うものであって、例えば、呼出ボタンにて構成されている。
【００１６】
子機マイク１１及び子機スピーカ１２は、来訪者が居住者との間で通話を成立させるにあたり、音声（送話音声、受話音声）信号を入出力するためのものである。また、子機マイクアンプ１３は、子機マイク１１に入力された来訪者の音声（送話音声）信号を増幅するためのものである。さらに、子機スピーカアンプ１４は、子機スピーカ１２から出力（放音）させる居住者の音声（受話音声）信号を増幅するためのものである。
【００１７】
子機Ｉ／Ｆ１５は、子機操作部１０から伝送路Ｌへの信号伝送ラインと、子機マイクアンプ１３から伝送路Ｌへの信号伝送ラインと、伝送路Ｌから子機スピーカアンプ１４への信号伝送ラインとをそれぞれ形成するためのものである。
【００１８】
さらに、親機２には、親機操作部２０、呼出検出部２１、記憶部２２、親機マイク２３、親機スピーカ２４、親機マイクアンプ２５、親機スピーカアンプ２６、制御部２７及び親機Ｉ／Ｆ２８が備えられている。
【００１９】
この親機２において、親機操作部２０は、制御部２７によって操作検出され、来訪者による子機１からの呼び出しに応答するにあたり、居住者が所定の応答操作を行うとともに、成立中の通話を終了させるための所定の終話操作を行うものであって、例えば、通話ボタンにて構成されている。また、呼出検出部２１は、来訪者による子機１からの呼び出しがあることを検出し、その旨の呼出検出信号を制御部２７に送出するためのものである。さらに、記憶部２２は、制御部２７によって制御され、親機スピーカ２４から放音させる呼出音の音データを記憶するためのものであり、例えば、ＲＡＭ、ＥＥＰＲＯＭ等の各種の記憶媒体にて構成されている。
【００２０】
親機マイク２３及び親機スピーカ２４は、居住者が来訪者との間で通話を成立させるにあたり、音声（送話音声、受話音声）信号を入出力するためのものであって、親機スピーカ２４は、前述の通話機能のみならず、制御部２７の制御によって記憶部２２から読み出される呼出音を放音することができる。また、親機マイクアンプ２５は、親機マイク２３に入力された居住者の音声（送話音声）信号を増幅するためのものである、さらに、親機スピーカアンプ２６は、親機スピーカ２４から出力（放音）させる来訪者の音声（受話音声）信号及び呼出音の音データを増幅するためのものである。
【００２１】
制御部２７は、当該親機の構成各部を制御するためのものである。また、親機Ｉ／Ｆ２８は、伝送路Ｌから呼出検出部２１への信号伝送ラインと、親機マイクアンプ２５から伝送路Ｌへの信号伝送ラインと、伝送路Ｌから親機スピーカアンプ２６への信号伝送ラインと、制御部２７及び伝送路Ｌの間の信号伝送ラインとをそれぞれ形成するためのものである。
【００２２】
このように構成された本発明の実施例によるインターホン装置において、以下、具体的な動作について説明する。
【００２３】
図１に示す親機２が設置された住戸内に在室中の居住者を呼び出すにあたり、住戸外に居る来訪者が子機１の子機操作部１０を使用して所定の呼出操作を行うと、この子機操作部１０にて生成された呼出信号Ｓ1が、子機Ｉ／Ｆ１５、伝送路Ｌ、親機２の親機Ｉ／Ｆ２８を経由して呼出検出部２１に伝送される。
【００２４】
親機２の呼出検出部２１は、子機１からの呼出信号Ｓ1を受信すると、来訪者による呼び出しがあることを検出し、その旨の呼出検出信号Ｓ2を制御部２７に送出する。この呼出検出信号Ｓ2が受信された制御部２７は、記憶部２２に予め記憶されている呼出音の音データを読み出すことができる。
【００２５】
ここで、親機２の記憶部２２に予め記憶される呼出音の音データとして、異なるパターンの当該音データをそれぞれ適用する場合について説明する。
【００２６】
最初に、第１の音データＳ10aとして、例えば、「ピーン」というパターンの第１の呼出音Ｓ10が有する周波数（基本周波数）ｆ10＝６６６．６６６Ｈｚでサンプリングされた、サンプリング周波数ｆ10a＝１６ｋＨｚの当該音データを適用するにあたり、これら周波数ｆ10、ｆ10aは、式（１）に示す関係を有している。
【００２７】
ｆ10a＝２４×ｆ10 ……（１）
すなわち、親機２の記憶部２２には、第１の呼出音Ｓ10が有する周波数ｆ10の２４倍でサンプリングされた第１の音データＳ10aが記憶されているため、図２（Ａ）の波形図に示すように、半周期毎のサンプルポイントが（＋）、（−）の両側で「１２」にそれぞれ固定され、その周波数スペクトラムは、図２（Ｂ）の周波数スペクトラム図に示すように、基本周波数ｆ10の奇数倍（１、３、５、７、・・・）以外の周波数帯域でスペクトラムが発生しないことから、この音データＳ10aを、親機スピーカアンプ２６を経由して親機スピーカ２４に送出するにあたり、親機スピーカ２４では、例えば、「ピーン」というパターンの第１の呼出音Ｓ10が、濁りのないクリアな音質で放音されることになる。
【００２８】
次に、第２の音データＳ11aとして、例えば、「ポーン」というパターンの第２の呼出音Ｓ11が有する周波数（基本周波数）ｆ11＝５３３．３３３Ｈｚでサンプリングされた、サンプリング周波数ｆ11a＝１６ｋＨｚの当該音データを適用するにあたり、これら周波数ｆ11、ｆ11aは、式（２）に示す関係を有している。
【００２９】
ｆ11a＝３０×ｆ11 ……（２）
すなわち、親機２の記憶部２２には、第２の呼出音Ｓ11が有する周波数の３０倍でサンプリングされた第２の音データＳ11aが記憶されているため、図３（Ａ）の波形図に示すように、半周期毎のサンプルポイントが（＋）、（−）の両側で「１５」に固定され、その周波数スペクトラムは、図３（Ｂ）に示すように、基本周波数ｆ11の奇数倍（１、３、５、７、・・・）以外の周波数帯域でスペクトラムが発生しないことから、この音データＳ11aを、親機スピーカアンプ２６を経由して親機スピーカ２４に送出するにあたり、親機スピーカ２４では、例えば、「ポーン」というパターンの第２の呼出音Ｓ11が、濁りのないクリアな音質で放音されることになる。
【００３０】
なお、親機２の記憶部２２に予め記憶された前述の第１、第２の音データＳ10a、Ｓ11aは、前述のような独立したパターンの当該呼出音Ｓ10、Ｓ11（「ピーン」、「ポーン」）として親機スピーカ２４から放音させる態様のみならず、第１の音データＳ10→第２の音データＳ11の連続した順序で、制御部２７の制御により記憶部２２から読み出すこともできる。
【００３１】
この態様によれば、第１の音データＳ10aは、第１の呼出音Ｓ10が有する周波数の２４倍でサンプリング｛式（１）を参照。｝されており、第２の音データＳ11aは、第２の呼出音Ｓ11が有する周波数の３０倍でサンプリング｛式（２）を参照。｝されているため、図２（Ａ）、図３（Ａ）にそれぞれ示すように、半周期毎のサンプルポイントが（＋）、（−）の両側で「１２」、「１５」にそれぞれ固定され、これらの周波数スペクトラムは、図２（Ｂ）、図３（Ｂ）にそれぞれ示すように、基本周波数ｆ10、ｆ11の奇数倍（１、３、５、７、・・・）以外の周波数帯域でスペクトラムが発生しないことから、この連続した音データＳ10a、Ｓ11aを親機スピーカアンプ２６を経由して親機スピーカ２４に送出するにあたり、親機スピーカ２４では、例えば、「ピーン・ポーン」というパターンの第１、第２の呼出音Ｓ10、Ｓ11が連続して（図４の波形図を参照。）、濁りのないクリアな音質で放音されることになる。
【００３２】
また、前述のような呼出音の放音を確認した居住者が、親機２の親機操作部２０を使用して所定の応答操作を行うと、この操作を検出した制御部２７の制御により、親機マイク２３から親機マイクアンプ２５、親機Ｉ／Ｆ２８、伝送路Ｌ、子機１の子機Ｉ／Ｆ１５、子機スピーカアンプ１４を経由して子機スピーカ１２への信号伝送ラインと、子機１の子機マイク１１から子機マイクアンプ１３、子機Ｉ／Ｆ１５、伝送路Ｌ、親機２の親機Ｉ／Ｆ２８、親機スピーカアンプ２６を経由して親機スピーカ２４への信号伝送ラインとがそれぞれ形成され、形成された信号伝送ラインを経由して音声（送話音声、受話音声）信号を送受信することによって、来訪者と居住者との間で通話を成立させることができる。
【００３３】
本発明のインターホン装置においては、特定の実施の形態をもって説明してきたが、この形態に限定されるものでなく、本発明の効果を奏する限り、これまで知られた如何なる構成のインターホン装置、例えば、映像の撮像／処理機能を備えた当該子機及び映像の出画／処理機能を備えた当該親機を有するインターホン装置であっても採用できるということはいうまでもないことである。
【符号の説明】
【００３４】
１……子機
２……親機
２２……記憶部
２４……親機スピーカ
【図１】
2011135337.tif 000003
【図２】
2011135337.tif 000004
【図３】
2011135337.tif 000005
【図４】
2011135337.tif 000006
【図５】
2011135337.tif 000007